(57)【特許請求の範囲】
【請求項１】
主剤を収容する容器本体と、
該容器本体の口部に着脱自在に装着され、副剤を収容した複数のカートリッジを保持するカートリッジ保持部材と、
前記容器本体内の物質を上方に圧送するポンプを有し、前記カートリッジ保持部材に対して着脱自在に装着されるポンプ組立体と
を備える混合容器であって、
前記カートリッジ保持部材は、
前記ポンプを貫通させるポンプ貫通孔と、
該ポンプ貫通孔の周囲に設けられ、前記各カートリッジに対応する位置に開孔及び突部が設けられたカートリッジ保持部と
を有し、
前記ポンプ組立体は、
前記ポンプと、
前記ポンプの周囲に設けられ、前記各カートリッジを押圧する押圧部と
を有し、
前記ポンプ組立体を前記カートリッジ保持部材に装着するとき、前記各カートリッジが前記押圧部によって押圧される、混合容器。
【請求項２】
前記カートリッジ保持部は、前記各カートリッジを位置決めする位置決め部を有する、請求項１に記載の混合容器。
【請求項３】
前記押圧部には、前記突部に対応する位置に凹部が形成されている、請求項１又は２に記載の混合容器。
【請求項４】
前記ポンプ組立体は、ねじ係合又はアンダーカット係合により前記カートリッジ保持部材に装着される、請求項１乃至３のいずれか一項に記載の混合容器。
【発明の詳細な説明】
【技術分野】
【０００１】
本発明は、複数の物質を混合し吐出させることが可能な混合容器に関するものである。
【背景技術】
【０００２】
薬剤等の中には、服用する直前に複数の薬剤を混合して使用するものがある。例えば、特許文献１には、主剤が収容される容器本体と、容器本体の口部に着脱自在に装着される装着部材と、副剤が収容され装着部材の内側に配設されるカートリッジ体とを備え、主剤と副剤を混合させて吐出可能な混合容器、及び吐出容器が開示されている。
【先行技術文献】
【特許文献】
【０００３】
【特許文献１】特開２０１５−１６３５１９号公報
【発明の概要】
【発明が解決しようとする課題】
【０００４】
ところで、この種の混合容器では、複数の副剤を主剤と混合する場合が存在するが、特許文献１に記載の混合容器では、構造上、副剤を１種類しか扱うことができず、上記の要望に対応することができなかった。
【０００５】
本発明は、このような問題点を解決することを課題とするものであり、その目的は、複数の物質を混合し吐出させることが可能な混合容器を提供することである。
【課題を解決するための手段】
【０００６】
本発明は、
主剤を収容する容器本体と、
該容器本体の口部に着脱自在に装着され、副剤を収容した複数のカートリッジを保持するカートリッジ保持部材と、
前記容器本体内の物質を上方に圧送するポンプを有し、前記カートリッジ保持部材に対して着脱自在に装着されるポンプ組立体と
を備える混合容器であって、
前記カートリッジ保持部材は、
前記ポンプを貫通させるポンプ貫通孔と、
該ポンプ貫通孔の周囲に設けられ、前記各カートリッジに対応する位置に開孔及び突部が設けられたカートリッジ保持部と
を有し、
前記ポンプ組立体は、
前記ポンプと、
前記ポンプの周囲に設けられ、前記各カートリッジを押圧する押圧部と
を有し、
前記ポンプ組立体を前記カートリッジ保持部材に装着するとき、前記各カートリッジが前記押圧部によって押圧される、混合容器である。
【０００７】
また、前記カートリッジ保持部は、前記各カートリッジを位置決めする位置決め部を有することが好ましい。
【０００８】
また、前記押圧部には、前記突部に対応する位置に凹部が形成されていることが好ましい。
【０００９】
また、前記ポンプ組立体は、ねじ係合又はアンダーカット係合により前記カートリッジ保持部材に装着されることが好ましい。
【発明の効果】
【００１０】
本発明の混合容器によれば、複数の物質を混合し吐出させることが可能となる。
【図面の簡単な説明】
【００１１】
【図１】本発明の一実施形態に係る混合容器の正面断面図である。
【図２】図１の混合容器にカートリッジをセットする手順を示す図である。
【図３】（ａ）は、図１の混合容器に用いられるカートリッジが６個連結されたカートリッジ結合体を示す図であり、（ｂ）は、（ａ）のカートリッジ結合体から１個のカートリッジを取り外した状態を示す図である。
【図４】本発明の一実施形態に係る混合容器にカートリッジをセットした後、複数の副剤を混合している状態を示す図である。
【図５】本発明の一実施形態に係る混合容器に用いられている容器本体及びカートリッジ保持部材の（ａ）平面図、（ｂ）正面断面図である。
【発明を実施するための形態】
【００１２】
以下、図面を参照して、本発明をより具体的に説明する。
【００１３】
図１は、本発明の一実施形態である混合容器１００の正面断面図を示す。なお、本明細書、特許請求の範囲、要約書および図面では、後述するポンプカバー２５が位置する側を上方（図１における上側）とし、容器本体５０が位置する側を下方（図１における下側）とする。なお、本発明は、様々な複数の物質を扱うことが可能であるが、本実施形態では、初期状態において容器本体５０に収容される液体状の主剤と、カートリッジ３０に収容された１又は複数の液体状の副剤とを混合する場合について説明する。なお、主剤は１種類の物質で構成されていても複数物質の混合物で構成されていてもよい。また、主剤は、液状やゲル状の液体の他、粉末や錠剤等の固体であってもよい。混合容器１００は図１に示すように、主剤を収容する容器本体５０と、副剤が収容されたカートリッジ３０を保持するカートリッジ保持部材４０と、容器本体５０内の物質を上方に圧送し吐出するポンプ本体２０及びポンプヘッド２２と、ポンプ本体２０を保持するポンプ保持部材１０と、ポンプヘッド２２を覆うポンプカバー２５とを備える。
【００１４】
容器本体５０は、円筒状の容器周壁５１の上端に、カートリッジ保持部材４０をねじ結合するための口部５５を設ける一方、下端には容器本体５０を閉鎖する底部５２が連結されている。口部５５の外周面には雄ねじ部５５ａが設けられ、カートリッジ保持部材４０の下部周壁４１の内周面に設けた雌ねじ部４１ａに対してねじ係合されている。容器本体５０は、収容する物質に応じて、例えばガラス等の材料を用いることができるが、金属や合成樹脂（プラスチック）等、種々の材質を用いることができる。
【００１５】
カートリッジ保持部材４０は、副剤が収容された複数のカートリッジ３０が連結されたカートリッジ結合体をカートリッジ保持部４４に位置決めして保持するための部材である。なお、カートリッジ結合体から１つまたは複数のカートリッジ３０を取り外して使用してもよく、複数のカートリッジ３０を使用する場合には、連結されたものであっても個別に分離したものであってもよい。また、１つのカートリッジ３０のみをカートリッジ保持部４４に配置してもよい。カートリッジ保持部４４は、後述するポンプ本体２０の側面を覆う内周壁４６の下端から外周方向に延びる平面視でドーナツ形状を有する領域に設けられている。カートリッジ保持部４４には、上方に突出する突部４５、及び容器本体５０の収容空間Ｓにカートリッジ３０内の副剤を供給するための開孔４４ａが設けられている。内周壁４６の上端には、上下に延びるポンプ本体２０を貫通させるポンプ貫通孔４６ｔが設けられている。カートリッジ保持部４４の外周端は、円筒形状を有する上部周壁４３と連結されており、上部周壁４３と下部周壁４１とは、段部４２を介して連結されている。上部周壁４３の外周面には、二条ねじとして形成された雄ねじ部４３ａが設けられており、後述するポンプ保持部材１０の外周壁１１の内周面に設けられている雌ねじ部１１ａにねじ係合される。なお、カートリッジ保持部材４０とポンプ保持部材１０との連結はねじ係合には限定されず、両者に突部を設けてアンダーカット係合するように構成するなどしてもよい。
【００１６】
ポンプ保持部材１０は、容器本体５０内の物質、つまり、主剤と副剤が混合された内容物を上方に圧送するポンプ本体２０を保持する部材である。ポンプ保持部材１０の中央には、ポンプ本体２０を取り付けるための水平方向に延びるポンプ保持部１６が設けられている。ポンプ保持部１６の下面には、ポンプ本体２０の取り付け面が当接し、ポンプ本体２０は、突部１８ａによるアンダーカット係合によってポンプ保持部材１０に固定されている。ポンプ保持部１６の外周端から嵌合壁１８が垂下しており、ポンプ保持部材１０がカートリッジ保持部材４０に固定されると、嵌合壁１８の内側面に内周壁４６の外側面が嵌合する。また、嵌合壁１８の外周側には押圧部内壁１５が垂下し、内周壁４６の周囲を覆っている。また、押圧部内壁１５の下端から外周方向に押圧部１４が設けられており、後述するように、ポンプ保持部材１０をカートリッジ保持部材４０に取り付けた際にカートリッジ３０の収容部３０ｂを押圧する。押圧部１４には、突部４５に対応する位置に押圧部凹部１４ａが設けられている。押圧部１４の外周端から上方に押圧部外壁１３が延びており、上壁１２によって外周壁１１と連結されている。先述のように、この外周壁１１の内側面には二条ねじとして形成された雌ねじ部１１ａが設けられており、雄ねじ部４３ａとねじ係合する。
【００１７】
ポンプ本体２０は、容器本体５０内の物質を上方に圧送するために設けられており、ステム２１を介して上方に取り付けられたポンプヘッド２２を押下することによって作動する。ポンプヘッド２２の側面には吐出孔２２ａが設けられており、容器本体５０から圧送された物質（混合内容物）は、この吐出孔２２ａから吐出される。
【００１８】
ポンプヘッド２２は、図１に示すようにポンプカバー２５によって覆われている。ポンプカバー２５は、利用者が意図せずにポンプヘッド２２を押下して容器本体５０内の物質が誤って吐出されたり、吐出孔２２ａからの液だれによって周辺が当該物質に汚染されるのを防止することができる。なお、ポンプカバー２５は押圧部１４の上面、及び押圧部外壁１３の内側面に当接して着脱可能に固定されている。
【００１９】
図２は、本実施形態の混合容器１００にカートリッジ３０を装着する手順を示す図である。利用者は、まずポンプ保持部材１０を軸周りに回転させて、雄ねじ部４３ａと雌ねじ部１１ａのねじ係合を解除する。そして、ポンプ本体２０、ポンプヘッド２２及びポンプ保持部材１０からなるポンプ組立体を図２に矢印で示すように上方へと移動させる。次に利用者は、カートリッジ３０をカートリッジ保持部４４の上面にセットする。本実施形態では、カートリッジ３０の内部には副剤が収容されており、いわゆるＰＴＰ包装(Press Through Package)の形態で形成されている。カートリッジ３０をセットした後は、再びポンプ組立体をカートリッジ保持部材４０に対してねじ係合させればよい。
【００２０】
図３（ａ），（ｂ）は、ＰＴＰ包装として形成されたカートリッジ３０の構成を示す。図３（ａ）は、カートリッジ開孔３０ｃの周りに６個のカートリッジ３０が環状に連結されたカートリッジ結合体を示している。本実施形態において、各カートリッジ３０は、プラスチック材料によって形成された収容部３０ｂに副剤を収容し、アルミ箔や樹脂フィルム等の封止膜３０ａで封止しているが、他の材料を用いてもよい。利用者は、カートリッジ保持部材４０に設けられた内周壁４６をカートリッジ結合体の中央に設けられたカートリッジ開孔３０ｃに挿入し、カートリッジ結合体をカートリッジ保持部４４にセットする。カートリッジ結合体は、境界部にスリットが設けられており、利用者が曲げ応力を作用させることによって容易に各カートリッジ３０毎に分割することができる。各カートリッジ３０には、それぞれ異なる副剤を収容してもよいし、複数のカートリッジ３０に同一の副剤を収容してもよい。また、各カートリッジ３０に収容する副剤は、１種類の物質で構成されていても複数物質の混合物で構成されていてもよい。副剤は、液状やゲル状の液体の他、粉末や錠剤等の固体であってもよい。各カートリッジ３０は四隅に切り欠き３０ｒ１及び３０ｒ２を有しており、カートリッジ３０をカートリッジ保持部４４にセットした際に、内周壁４６の外面に設けられたリブ４６ｒ及び上部周壁４３の内面に設けられたリブ４３ｒ（図２参照）がそれぞれ嵌合することによって位置決めされる。従って、カートリッジ３０は、図３（ａ）に示したように常に６個が連結されたカートリッジ結合体の状態で使用する必要はなく、図３（ｂ）に示すように一部を切り取ってカートリッジ保持部４４にセットしてもよい。このように、利用者は、任意の数（本実施形態では最大６個）のカートリッジ３０を自由に組み合わせてセットすることができるので、簡便な構成の容器で、様々な組み合わせの混合物質を生成することができる。
【００２１】
図４は、混合容器１００にカートリッジ３０をセットした後、各カートリッジ３０内の副剤を主剤に混合させている状態を示している。利用者は、カートリッジ３０をカートリッジ保持部４４にセットした後、ポンプ結合体のポンプ本体２０をポンプ貫通孔４６ｔに挿入した状態で軸周りに回転させながら、雌ねじ部１１ａを雄ねじ部４３ａにねじ係合させていく。これによって、押圧部１４は徐々に下方に下がっていき、カートリッジ３０の収容部３０ｂは押圧部１４からの押圧力によって変形する。一方、封止膜３０ａは、突部４５から上記押圧力に対する反力が作用して破れる。カートリッジ３０内の副剤が液体である場合には、封止膜３０ａが破れた時点で収容部３０ｂ内の副剤が開孔４４ａを経由して容器本体５０の収容空間Ｓ内に供給される。収容空間Ｓ内には、あらかじめ主剤が収容されているため、副剤が供給された後に容器本体５０を揺動させることによって拡散用ボール５７が収容空間Ｓ内で動いて混合内容物を攪拌する。また、副剤が錠剤等の固体である場合、押圧部１４からの押圧力によって収容部３０ｂ内の固体を粉砕した後に開孔４４ａを経由して収容空間Ｓに供給することもできる。なお、例えば、突部４５を収容部３０ｂの開口部と同等の径を有する中空筒状刃に形成し、封止膜３０ａを大きく開口させて固体状の副剤をその形状を保ったまま容器本体５０に供給する等、突部４５や開孔４４ａの形状は適宜変更することができる。押圧部１４には、図４に示すように突部４５に対応する位置に環状の押圧部凹部１４ａが設けられている。これによって、押圧部１４を可能な限りカートリッジ保持部４４近傍まで移動させてカートリッジ３０を最後まで押し潰して、収容部３０ｂ内の副剤を収容空間Ｓ内に供給することができる。
【００２２】
なお、本実施形態のカートリッジ保持部材４０、及び容器本体５０は、図５（ａ），（ｂ）に示すような構成を有している。図５（ａ）に示すように、カートリッジ保持部４４上には、各カートリッジ３０の切り欠き３０ｒ１及び３０ｒ２に対応する位置にリブ４６ｒ及び４３ｒが設けられている。従って、図３（ｂ）のように、カートリッジ結合体を構成する６個のうち一部のカートリッジ３０のみがカートリッジ保持部４４にセットされている場合でも、所望の位置に位置決めされる。また、本実施形態では、ポンプ結合体を軸周りに回転させながら雄ねじ部４３ａと雌ねじ部１１ａをねじ係合させて押圧力を加えていくため、収容部３０ｂには、押圧力の他に周方向の摩擦力が加わる。しかし、各カートリッジ３０は、図３及び図５から理解できるように、切り欠き３０ｒ１及び３０ｒ２、並びに対応するリブ４６ｒ及び４３ｒによってしっかりと位置決めされるため、上記摩擦力によってもカートリッジ３０の位置がずれる虞が無い。また、各カートリッジ３０に対応する位置に突部４５、及び開孔４４ａを配置しているため、押圧力に対する突部４５からの反力によって確実に封止膜３０ａを破って副剤を収容空間Ｓ内に供給することができる。
【００２３】
混合内容物の攪拌が終了すると、利用者は、ポンプヘッド２２を押下して容器本体５０内の混合内容物を吐出孔２２ａから吐出することができる。すなわち、利用者は、本実施形態の混合容器１００のみを用いて複数の内容物（主剤及び複数の副剤）の混合から吐出までを簡易な構成で実現することができる。
【００２４】
なお、本実施形態では、容器本体５０の収容空間Ｓ内にあらかじめ主剤を収容しておき、それに対して複数のカートリッジ３０内の副剤を混合可能としたが、この態様には限定されない。１個以上のカートリッジ３０内に主剤、及び１個以上のカートリッジ３０に副剤を個別に収容しておき、それらを収容空間Ｓ内に供給して混合するようにしてもよい。
【００２５】
また、本実施形態の混合容器１００は、医薬品、化粧料、飲料、食料、接着剤等、使用する際に混合した方がより良い品質を提供し得るあらゆる物質の混合に使用することができる。
【００２６】
以上述べたように、本実施形態によれば、容器本体５０に、突部４５及び開孔４４ａを有し複数のカートリッジ３０をセット可能なカートリッジ保持部材４０を装着すると共に、カートリッジ保持部材４０の中央を、押圧部１４に連結されたポンプ本体２０が貫通するようにポンプ組立体を構成した。これによって、利用者がポンプ組立体をカートリッジ保持部材４０に係合させると押圧部１４がカートリッジ３０の収容部３０ｂを押圧すると共に突部４５が封止膜３０ａを破るので、複数のカートリッジ３０に収容された副剤を収容空間Ｓ内の主剤と混合させることができる。なお、カートリッジ保持部４４に、カートリッジ３０を１個のみ配置して使用してもよい。また、収容空間Ｓ内の混合内容物をポンプ本体２０を通じて上方に圧送して、吐出孔２２ａから吐出させることができる。
【００２７】
また、本実施形態によれば、カートリッジ保持部４４が、各カートリッジ３０を位置決めするリブ４６ｒ，４３ｒを有するように構成した。これによって、ポンプ組立体を回転させながらカートリッジ３０を押圧する際にカートリッジ３０が位置ずれをおこすことがない。従って、所定の位置に設けられた突部４５によって封止膜３０ａを破ることが可能であると共に開孔４４ａを通じて副剤を容器本体５０の収容空間Ｓに供給することができる。また、個々のカートリッジ３０がリブ４６ｒ，４３ｒによって位置決めされるので、必ずしも図３（ａ）のように連結されたカートリッジ結合体を用いる必要はなく、図３（ｂ）のように個々のカートリッジ３０に分割した上で、必要なカートリッジ３０のみをセットして用いることができる。
【００２８】
また、本実施形態によれば、押圧部１４には、突部４５に対応する位置に押圧部凹部１４ａが形成されているので、押圧部１４を可能な限り下方に移動させて収容部３０ｂ内の副剤を収容空間Ｓ内に供給することができる。
【００２９】
また、本実施形態によれば、ポンプ組立体は、ねじ係合によってカートリッジ保持部材４０に装着されるので、ポンプ組立体の回転により当該組立体が容器本体５０に向けて移動するため、安定した操作でカートリッジ３０の収容部３０ｂを押圧して副剤を収容空間Ｓ内に供給することができる。
【００３０】
なお、本実施形態では、カートリッジ保持部４４に位置決め部としてリブ４３ｒ，４６ｒを設けたが、この態様には限定されず、カートリッジ３０を位置決め可能な種々の形状に変更可能である。また、位置決め部を設けない構成としてもよい。
【００３１】
また、本実施形態では、突部４５及び押圧部凹部１４ａを設けて、押圧によりカートリッジ３０が開封し易いように構成したが、この態様に限定されるものではなく、突部４５及び押圧部凹部１４ａを設けない構成としてもよい。
【００３２】
また、カートリッジ３０についても、カートリッジ保持部４４に収容され、押圧部１４の押圧によって開封可能であれば、パウチ状等の種々の形態を採用することができる。
【００３３】
なお、上述したところは、本発明の実施形態を示したにすぎず、特許請求の範囲において、種々の変更を加えることができる。そして、そのような構成は本発明の範囲内であると理解すべきである。
【符号の説明】
【００３４】
１０          ポンプ保持部材
１１          外周壁
１１ａ        雌ねじ部
１２          上壁
１３          押圧部外壁
１４          押圧部
１４ａ        押圧部凹部（凹部）
１５          押圧部内壁
１６          ポンプ保持部
１８          嵌合壁
１８ａ        突部
２０          ポンプ本体（ポンプ）
２１          ステム
２２          ポンプヘッド
２２ａ        吐出孔
２５          ポンプカバー
３０          カートリッジ
３０ａ        封止膜
３０ｂ        収容部
３０ｃ        カートリッジ開孔
３０ｒ１，３０ｒ２    切り欠き
４０          カートリッジ保持部材
４１          下部周壁
４１ａ        雌ねじ部
４２          段部
４３          上部周壁
４３ａ        雄ねじ部
４３ｒ，４６ｒ    リブ（位置決め部）
４４          カートリッジ保持部
４４ａ        開孔
４５          突部
４６          内周壁
４６ｔ        ポンプ貫通孔
５０          容器本体
５１          容器周壁
５２          底部
５５          口部
５５ａ        雄ねじ部
５７          拡散用ボール
１００        混合容器
Ｓ            収容空間
【図１】
0006534354.tif 000002
【図２】
0006534354.tif 000003
【図３】
0006534354.tif 000004
【図４】
0006534354.tif 000005
【図５】
0006534354.tif 000006